(57)【要約】【課題】高強度を備えた扉体を提供する。【解決手段】扉体２の室内側面部２１は、主面部２１０と外縁面２１５−２１８とを備え、室外側面部２０と主面部２１０間の厚さは、室外側面部２０と外縁面２１５−２１８間の厚さよりも大きく、扉体２のフレーム構造は、室外側面部２０と主面部２１０間に配置されたて第１フレーム３と、室外側面部２０と外縁面２１５−２１８間に配置された第２フレーム４と、からなり、第１フレーム３と第２フレーム４は溶接されており、第１フレーム３は、溝形鋼からなる横フレーム、縦フレームを四周状に溶接して形成されており、室外側面部２０と主面部２１０間には、角形鋼管からなる中骨８が、扉体の幅方向に間隔を存して複数本配置されている。【選択図】図４
2014105489.tif 000002
【特許請求の範囲】
【請求項１】
フレーム構造と、当該フレーム構造に装着した表面材と、からなる扉体において、
前記扉体の室外側面部及び室内側面部は前記表面材によって形成されており、
前記扉体の前記室内側面部は、扉体が閉鎖姿勢にある時に室内側空間に面する主面部と、前記主面部の外縁に位置する外縁面と、を備え、
前記室外側面部と前記主面部間の厚さは、前記室外側面部と前記外縁面間の厚さよりも大きく、前記外縁面は前記主面部に対して室外側に位置しており、
前記フレーム構造は、前記室外側面部と前記主面部間に配置されている四周状の第１フレームと、当該第１フレームの外側に位置して、前記室外側面部と前記外縁面間に配置されている四周状の第２フレームと、からなり、
前記第１フレームと前記第２フレームは溶接されており
前記第１フレームは、溝形鋼からなる横フレーム、縦フレームを四周状に溶接して形成されており、
前記室外側面部と前記主面部間には、角形鋼管からなる中骨が、扉体の幅方向に間隔を存して複数本配置されており、前記中骨の上下端は前記第１フレームの横フレームに溶接されている、扉体。
【請求項２】
前記フレーム構造は、少なくとも１本の横材を備えており、
前記横材は、扉体の高さ方向の中途部位に位置して、前記複数本の中骨を貫通した状態で当該中骨に溶接されていると共に、両端が前記第１フレームの縦フレームに溶接されている、請求項１に記載の扉体。
【発明の詳細な説明】
【技術分野】
【０００１】
本発明は、高強度を備えた扉体に関するものである。
【背景技術】
【０００２】
扉体は、一般に、四周枠状のフレームに対して扉体の表面材を貼着することで形成されるが、従来の扉体のフレームは、スチール曲げ材を四周状に溶接して組み立てられており、扉体の面部の強度確保のため、室内外の表面材間に断面視コ字状の中骨を複数本所定間隔で配置していた（図１０参照）。このような扉体の構造は良く知られており、例えば、特許文献１にも開示されている。
【０００３】
しかしながら、図１０に示すような扉体は、開口部全閉状態において、当該扉体に大きな負荷が作用することを想定しておらず、大きな負荷が掛ることが想定される現場（例えば、津波や洪水により大きな水圧が作用する可能性のある現場）での使用に耐え得るような強度を備えていない。
【０００４】
また、扉装置が設置される現場（例えば、津波や洪水により大きな水圧が作用する可能性のある現場）によっては、扉体の形状に特徴を持たせることで気密・水密性能を向上させたい場合があり、このような特徴的な形状を備えた扉体の強度を向上させるためには、従来のフレーム構造では不十分である。
【特許文献１】特開２０１１−１９６０８３
【発明の開示】
【発明が解決しようとする課題】
【０００５】
本発明は、閉鎖姿勢の扉体に大きな負荷が作用した場合にも耐え得る高強度を備えた扉体を提供することを目的とするものである。
【課題を解決するための手段】
【０００６】
本発明が採用した技術手段は、
フレーム構造と、当該フレーム構造に装着した表面材と、からなる扉体において、
前記扉体の室外側面部及び室内側面部は前記表面材によって形成されており、
前記扉体の前記室内側面部は、扉体が閉鎖姿勢にある時に室内側空間に面する主面部と、前記主面部の外縁に位置する外縁面と、を備え、
前記室外側面部と前記主面部間の厚さは、前記室外側面部と前記外縁面間の厚さよりも大きく、前記外縁面は前記主面部に対して室外側に位置しており、
前記フレーム構造は、前記室外側面部と前記主面部間に配置されている四周状の第１フレームと、当該第１フレームの外側に位置して、前記室外側面部と前記外縁面間に配置されている四周状の第２フレームと、からなり、
前記第１フレームと前記第２フレームは溶接されており
前記第１フレームは、溝形鋼からなる横フレーム、縦フレームを四周状に溶接して形成されており、
前記室外側面部と前記主面部間には、角形鋼管からなる中骨が、扉体の幅方向に間隔を存して複数本配置されており、前記中骨の上下端は前記第１フレームの横フレームに溶接されている、扉体、である。
【０００７】
１つの態様では、前記フレーム構造は、少なくとも１本の横材を備えており、
前記横材は、扉体の高さ方向の中途部位に位置して、前記複数本の中骨を貫通した状態で当該中骨に溶接されていると共に、両端が前記第１フレームの縦フレームに溶接されている。
【発明の効果】
【０００８】
本発明は、扉体のフレーム構造として、第１フレームと当該第１のフレームの外側に溶接した第２フレームとからなる二重フレーム構造を採用することで、いわゆるダブルタイトドアに対応することができる扉体（室内外方向に段差面を形成する前記主面部の周縁及び前記外縁面は、共に、ドア枠に設けた水密・気密部材との被接触面を形成する）を提供することができる。
そして、溝形鋼を溶接して第１フレームを形成することで、当該第１フレームの強度を確保すると共に、角形鋼管からなる中骨を採用したことで、扉体の室外側面部に作用する面圧に対する強度を確保している。
前記フレーム構造は、少なくとも１本の横材を備えており、前記横材は、扉体の高さ方向の中途部位に位置して、前記複数本の中骨を貫通した状態で当該中骨に溶接されていると共に、両端が前記第１フレームの縦フレームに溶接されているものでは、横材によって、扉体の反り、歪みを防止し、矯正することができる。
【図面の簡単な説明】
【０００９】
【図１】本実施形態に係るドア装置を室外側から見た正面図である。
【図２】本実施形態に係るドア装置を室内側から見た正面図である。
【図３】本実施形態に係るドア装置の縦断面図である。
【図４】本実施形態に係るドア装置の横断面図である。
【図５】本実施形態に係る扉体を室外側から見た正面図である。
【図６】本実施形態に係る扉体の異なる縦断面図である。
【図７】本実施形態に係る扉体の側面図であり、黒塗り部は溶接箇所を示している。
【図８】本実施形態に係る扉体の横断面図である。
【図９】本実施形態に係る扉体の上面図であり、黒塗り部は溶接箇所を示している。
【図１０】従来のドア装置の構成を示す図である。
【発明を実施するための形態】
【００１０】
本発明の実施形態を図面に基づいて説明する。図１は、本実施形態に係るドア装置を室外側から見た正面図、図２は、当該ドア装置を室内側から見た正面図である。図３、図４は、それぞれ、本実施形態に係るドア装置の縦断面図、横断面図である。これら図１〜図４に示すように、ドア装置は、建物開口部を形成するドア枠１と、ドア枠１に回動可能に装着され、当該ドア枠１を開閉する扉体２と、からなる。扉体２は開き戸である。
【００１１】
ドア枠１は、水平状に延びる上枠１０と、垂直状に延びる戸先側縦枠１１と、垂直状に延びる戸尻側縦枠１２と、水平状に延びる下枠１３と、から四周枠状に形成されている。ドア枠１の詳細な説明については後述する。
【００１２】
扉体２は、縦長方形状の室外側面部２０と、縦長方形状の室内側面部２１と、上面部２２と、戸先側面部２３と、戸尻側面部２４と、下面部２５と、を備えている。扉体２の室外側面部２０及び室内側面部２１の戸先側にはハンドル（図示の態様ではグレモンハンドル）２Ａが装着されており、扉体２の室外側面部２０の戸尻側とドア枠１の戸尻側縦枠１２とには扉体２をドア枠１に対して回動可能に取り付けるための丁番２Ｂが設けてある。扉体２の室内側面部２１の上方にはドアクローザ２Ｃが設けてある。
【００１３】
扉体２の室外側面部２０は全体が１つの垂直面を形成しているが、扉体２の室内側面部２１の周縁部には段部が形成されている。より具体的には、室内側面部２１は、垂直面を形成する縦長方形状の主面部２１０と、主面部２１０の四周の周縁の外側の断面視Ｌ形状の周縁部と、からなる。図２に示すように、主面部２１０は、扉体２が閉鎖姿勢にある時に室内側空間に面している。
【００１４】
図６、図８に示すように、外縁部は、主面部２１０の周縁から室外側に向かって主面部２１０に対して垂直状に延びる四つの辺、具体的には、上側水平辺２１１、戸先側縦辺２１２、戸尻側縦辺２１３、下側水平辺２１４と、上側水平辺２１１の室外側端から上方に向かって延びる上側外縁面２１５と、戸先側縦辺２１２の室外側端から側方に向かって延びる戸先側外縁面２１６と、戸尻側縦辺２１３の室外側端から側方に向かって延びる戸尻側外縁面２１７と、下側水平辺２１４の室外側端から下方に向かって延びる下側外縁面２１８と、からなる。
【００１５】
扉体２の室内側面部２１の主面部２１０、室内側面部２１の外縁面（上側外縁面２１５、戸先側外縁面２１６、戸尻側外縁面２１７、下側外縁面２１８）は、共に垂直面を形成しているが、外縁面（上側外縁面２１５、戸先側外縁面２１６、戸尻側外縁面２１７、下側外縁面２１８）は、主面部２１０に対して室外側に位置している。
【００１６】
室外側面部２０の上端と、室内側面部２１の上側外縁面２１５の上端は同じ高さに位置しており、上面部２２は、室外側面部２０の上端と室内側面部２１の上側外縁面２１５の上端を連結するように水平に延びている。
【００１７】
室外側面部２０の戸先側端と、室内側面部２１の戸先側外縁面２１６の戸先側端は同じ垂直面（室外側面部２０及び室内側面部２１に対する垂直面）内に位置しており、戸先側面部２３は、室外側面部２０の戸先側端と室内側面部２１の戸先側外縁面２１６の戸先側端を連結するように見込方向に延び、かつ、高さ方向に垂直に延びている。
【００１８】
室外側面部２０の戸尻側端と、室内側面部２１の戸尻側外縁面２１７の戸尻側端は同じ垂直面（室外側面部２０及び室内側面部２１に対する垂直面）内に位置しており、戸尻側面部２４は、室外側面部２０の戸尻側端と室内側面部２１の戸尻側外縁面２１７の戸尻側端を連結するように見込方向に延び、かつ、高さ方向に垂直に延びている。
【００１９】
室外側面部２０の下端と、室内側面部２１の下側外縁面２１８の下端は同じ高さに位置している。図３、図６に示す態様では、下面部２５は、逆凹状となっているが、下面部２５は、室外側面部２０の下端と室内側面部２１の下側外縁面２１８の下端を連結するように水平に延びていてもよい。
【００２０】
図７、図９に示すように、扉体２は、室外側面部２０と、室内側面部２１の主面部２１０と、の間の第１見込寸法Ｗ１と、室外側面部２０と、室内側面部２１の外縁面（上側外縁面２１５、戸先側外縁面２１６、戸尻側外縁面２１７、下側外縁面２１８）と、の間の第２見込寸法Ｗ２と、を備えており、第１見込寸法Ｗ１は第２見込寸法Ｗ２よりも大きい。すなわち、扉体２の厚さは、四周の周縁部において薄くなっており、室内側面部２１の周縁部に段部が形成されている。
【００２１】
扉体２の表面、具体的には、室外側面部２０、室内側面部２１、上面部２２、戸先側面部２３、戸尻側面部２４は、下面部２５は、金属製板材（鋼板）を所定形状に折り曲げることで複数枚の金属製表面材を形成し、所定形状を備えた金属製表面材を扉体２のフレーム構造に貼着することで、室外側面部２０、室内側面部２１、上面部２２、戸先側面部２３、戸尻側面部２４、下面部２５、が形成されている。所定形状を備えた金属製表面材同士の隣接部は適宜溶接される。扉体２の表面をどのように分割して複数の金属表面材から形成するかは、当業者において適宜採り得る事項である。
【００２２】
扉体２のフレーム構造は、四周枠状の第１フレーム３と、第１フレーム３の外側に位置する四周枠状の第２フレーム４と、からなる。第１フレーム３は、扉体２の第１見込寸法Ｗ１を備えた部分に対応しており、第２フレーム４は、扉体の第２見込寸法Ｗ２を備えた部分に対応している。第１フレーム３と第２フレーム４は連結（溶接）されている。
【００２３】
第１フレーム３は、水平状に延びる上フレーム３０、垂直状に延びる戸先側縦フレーム３１、垂直状に延びる戸尻側縦フレーム３２、水平状に延びる下フレーム３３を四周枠状に連結することで形成されている。上フレーム３０、戸先側縦フレーム３１、戸尻側縦フレーム３２、下フレーム３３は、溝形鋼から形成されており、各フレーム３０〜３３の端部同士を溶接することで四周枠が形成されている。
【００２４】
溝形鋼は、ウェブとフランジとから断面視コ字状を備えており、ウェブの幅寸法が、室外側面部２０と室内側面部２１の主面部２１０との間の厚さ（第１見込寸法Ｗ１−室内外の表面材の厚さ）に対応しており、一方のフランジが室外側に位置する垂直面を形成しており、他方のフランジが室内側に位置する垂直面を形成している。各フレーム３０〜３３を形成する溝形鋼は、それぞれ凹み部を内側に向けて、配置されている。より具体的には、上フレーム３０と下フレーム３３の凹み部は対向しており、戸先側縦フレーム３１と戸尻側縦フレーム３２の凹み部は対向している。
【００２５】
上フレーム３０は、溝形鋼の凹み部を下方に向けて水平方向に配置してなり、一方のフランジから形成される室外側垂直面３００と、他方のフランジから形成される室内側垂直面３０１と、ウェブから形成される上側の水平面３０２と、を備えている。
【００２６】
戸先側縦フレーム３１は、溝形鋼の凹み部を戸尻側に向けて垂直方向に配置してなり、一方のフランジから形成される室外側垂直面３１０と、他方のフランジから形成される室内側垂直面３１１と、ウェブから形成される戸先側の側面３１２と、を備えている。
【００２７】
戸尻側縦フレーム３２は、溝形鋼の凹み部を戸先側に向けて垂直方向に配置してなり、一方のフランジから形成される室外側垂直面３２０と、他方のフランジから形成される室内側垂直面３２１と、ウェブから形成される戸尻側の側面３２２と、を備えている。
【００２８】
下フレーム３３は、溝形鋼の凹み部を上方に向けて水平方向に配置してなり、一方のフランジから形成される室外側垂直面３３０と、他方のフランジから形成される室内側垂直面３３１と、ウェブから形成される下側の水平面３３２と、を備えている。
【００２９】
第２フレーム４は、水平状に延びる上フレーム４０、垂直状に延びる戸先側縦フレーム４１、垂直状に延びる戸尻側縦フレーム４２、水平状に延びる下フレーム４３を四周枠状に連結することで形成されている。上フレーム４０、戸先側縦フレーム４１、戸尻側縦フレーム４２は、スチール鋼板を折り曲げて形成されており、下フレーム４３は、溝形鋼である。各フレーム４０〜４３の端部同士を溶接することで四周枠が形成されている。後述するように、第２フレーム４は、さらに、横アングル材５、縦アングル材６、補強縦フレーム７、を備えており、上フレーム４０と横アングル材５、戸先側縦フレーム４１と縦アングル材６、戸尻側縦フレーム４２と補強縦フレーム７、とから、扉体２の上方側の表面材、戸先側の表面材、戸尻側の表面材の内面に当接して内側から補強する箱形のフレーム構造が形成されている。
【００３０】
図６に示すように、上フレーム４０は、断面視において、室外側垂直辺４００と、室内側垂直辺４０１と、室外側垂直辺４００と室内側垂直辺４０１の上端同士を連結する水平状の上辺４０２と、室外側垂直辺４００の下端から室内側に向かって水平状に延びる下辺４０３と、を備えている。
【００３１】
上フレーム３０の水平面３０２の幅寸法（見込寸法）は、上フレーム４０の上辺４０２の幅寸法（見込寸法）よりも大きい。上フレーム３０と上フレーム４０は、上フレーム３０の室外側垂直面３００と上フレーム４０の室外側垂直辺４００とを面一として、上フレーム３０の水平面３０２上に上フレーム４０の下辺４０３が当接し溶接されている。下辺４０３は上辺４０２に比べて短辺であり、上フレーム３０の水平面３０２には下辺４０３よりも室内側に位置して、Ｌ形鋼からなり、水平方向に延びる横アングル材５が設けてある。横アングル材５は水平状の第１辺５０と、垂直状の第２辺５１と、からなり、第１辺５０は、上フレーム３０の水平面３０２に当接し溶接されており、第２辺５１は、上フレーム４０の室内側垂直辺４０１に当接し溶接されている。１つの態様では、横アングル材５は上フレーム４０と同じ長さを備えており、横アングル材５の端部は、それぞれ上フレーム４０の戸先側端、戸尻側端にまで達している。
【００３２】
扉体２の室外側面部２０の上方部位は、上フレーム３０の室外側垂直面３００と上フレーム４０の室外側垂直辺４００に当接し貼着されている。扉体２の上面部２２は、上フレーム４０の上辺４０２に当接し貼着されている。扉体２の上側外縁面２１５は、上フレーム４０の室内側垂直辺４０１に当接し貼着されている。扉体２の上側水平辺２１１は、上フレーム３０の水平面３０２の室内側部位に当接し貼着されている。室内側面部２１の主面部２１０の上方部位は、上フレーム３０の室内側垂直面３０１に当接し貼着されている。
【００３３】
図８に示すように、垂直方向に延びる戸先側縦フレーム４１は、断面視において、見付方向に延びる室外側垂直辺４１０と、見付方向に延びる室内側垂直辺４１１と、室外側垂直辺４１０と室内側垂直辺４１１の戸先側端同士を連結するように見込方向に延びる外側辺４１２と、室外側垂直辺４１０の内側端から室内側に向かって見込方向に延びる内側辺４１３と、を備えている。
【００３４】
戸先側縦フレーム３１の側面３１２の見込寸法は、戸先側縦フレーム４１の外側辺４１２の見込寸法よりも大きい。戸先側縦フレーム３１と戸先側縦フレーム４１は、戸先側縦フレーム３１の室外側垂直面３１０と戸先側縦フレーム４１の室外側垂直辺４１０とを面一として、戸先側縦フレーム３１の側面３１２に戸先側縦フレーム４１の内側辺４１３が当接し溶接されている。内側辺４１３は外側辺４１２に比べて短辺であり、戸先側縦フレーム３１の側面３１２には、内側辺４１３よりも室内側に位置して、Ｌ形鋼からなり、垂直方向に延びる縦アングル材６が設けてある。縦アングル材６は見込方向に延びる第１辺６０と、見付方向に延びる第２辺６１と、からなり、第１辺６０は、戸先側縦フレーム３１の側面３１２に当接し溶接されており、第２辺６１は、戸先側縦フレーム４１の室内側垂直辺４１１に当接し溶接されている。１つの態様では、縦アングル材６の端部は、それぞれ上フレーム３０、下フレーム３３に溶接されているが、縦アングル材６の端部は、それぞれ上フレーム３０、下フレーム３３にまで達していなくてもよい。
【００３５】
扉体２の室外側面部２０の戸先側部位は、戸先側縦フレーム３１の室外側垂直面３１０と戸先側縦フレーム４１の室外側垂直辺４１０に当接し貼着されている。扉体２の戸先側面部２３は、戸先側縦フレーム４１の外側辺４１２に当接し貼着されている。扉体２の戸先側外縁面２１６は、戸先側縦フレーム４１の室内側垂直辺４１１に当接し貼着されている。扉体２の戸先側縦辺２１２は、戸先側縦フレーム３１の側面３１２の室内側部位に当接し貼着されている。室内側面部２１の主面部２１０の戸先側部位は、戸先側縦フレーム３１の室内側垂直面３１１に当接し貼着されている。
【００３６】
図８に示すように、垂直方向に延びる戸尻側縦フレーム４２は、断面視において、見込方向に延びる外側辺４２０と、外側辺４２０の室内側端から室外側面部２０及び室内側面部２１に平行に見付方向に延びる第１室内側垂直辺４２１と、第１室内側垂直辺４２１から室内側に見込方向に延びる中間側辺４２２と、中間側辺４２２の室内側端から室外側面部２０及び室内側面部２１に平行に見付方向に延びる第２室内側垂直辺４２３と、第２室内側垂直辺４２３から室外側に向かって見込方向に延びる内側辺４２４と、を備えている。戸尻側縦フレーム４２の内側辺４２４は、戸尻側縦フレーム３２の側面３２２の室内側部位に当接し溶接されている。
【００３７】
戸尻側縦フレーム３２の戸尻側かつ戸尻側縦フレーム４２の室外側に位置して、補強縦フレーム７が配置されている。補強縦フレーム７は、溝形鋼を凹状に垂直方向に配置してなり、一方のフランジから形成される内側垂直面７０と、他方のフランジから形成される外側垂直面７１と、ウェブから形成される室外側垂直面７２と、を備えている。補強縦フレーム７は、丁番２Ｂの取付用の補強ライナーとして機能する。１つの態様では、補強縦フレーム７の上下端は、上フレーム３０、下フレーム３３にまで達しており、補強縦フレーム７の上下端は、上フレーム３０、下フレーム３３にそれぞれ溶接されている。
【００３８】
補強縦フレーム７は、当該補強縦フレーム７の室外側垂直面７２と、戸尻側縦フレーム３２の室外側垂直面３２０と、を面一として、内側垂直面７０を戸尻側縦フレーム３２の側面３２２の室外側部位に当接し溶接されている。補強縦フレーム７の外側垂直面７１は、戸尻側縦フレーム４２の外側辺４２０に当接し溶接されている。
【００３９】
扉体２の室外側面部２０の戸尻側部位は、戸尻側縦フレーム３２の室外側垂直面３２０と補強縦フレーム７の室外側垂直面７２に当接し貼着されている。扉体２の戸尻側面部２４は、戸尻側縦フレーム４２の外側辺４２０に当接し貼着されている。扉体２の戸尻側外縁面２１７は、戸尻側縦フレーム４２の第１室内側垂直辺４２１に当接し貼着されている。扉体２の戸尻側縦辺２１３は、戸尻側縦フレーム４２の中間側辺４２２に当接し貼着されている。室内側面部２１の主面部２１０の戸尻側部位は、戸尻側縦フレーム４２の第２室内側垂直辺４２３及び戸尻側縦フレーム３２の室内側垂直面３２１に当接し貼着されている。
【００４０】
図６に示すように、下フレーム４３は、ウェブとフランジとから断面視コ字状を備えた溝形鋼からなり、ウェブの幅寸法が、室外側面部２０と室内側面部２１の下側外縁面２１８との間の厚さ（第２見込寸法Ｗ２−室内外の表面材の厚さ）に対応しており、下フレーム４３は、溝形鋼を逆凹状に水平方向に配置してなり、一方のフランジから形成される室外側垂直面４３０と、他方のフランジから形成される室内側垂直面４３１と、ウェブから形成される上側の水平面４３２と、を備えている。下フレーム３３の室外側垂直面３３０と、下フレーム４３の室外側垂直面４３０を面一にして、下フレーム３３の水平面３３２に下フレーム４３の水平面４３２を当接し溶接してなる。下フレーム４３の水平面４３２の幅寸法（見込寸法）は下フレーム３３の水平面３３２の幅寸法（見込寸法）よりも小さく、室外側が段部状となっている。
【００４１】
扉体２の室外側面部２０の下方部位は、下フレーム３３の室外側垂直面３３０と下フレーム４３の室外側垂直面４３０に当接し貼着されている。扉体２の下側外縁面２１８は、下フレーム４３の室内側垂直面４３１に当接し貼着されている。扉体２の下側水平辺２１４は、下フレーム３３の水平面３３２の室内側部位に当接し貼着されている。室内側面部２１の主面部２１０の下方部位は、下フレーム３３の室内側垂直面３３１に当接し貼着されている。
【００４２】
図４、図５、図８に示すように、扉体２の室外側面部２０と、室内側面部２１の主面部２１０との間には、扉体２の高さ方向に垂直に延びる中骨８が設けてある。中骨８は、扉体２の幅方向（見付方向）に間隔を存して複数本配置されている。
【００４３】
中骨８は、断面視方形状の角形鋼管からなり、見付方向に延びる室外側垂直面８０と、見付方向に延びる室内側垂直面８１と、見込方向に延びる左右の側面８２、８３と、を備えている。中骨８の見込寸法は、第１フレーム３の見込寸法と同じであり、室外側垂直面８０が室外側面部２０の内面に当接し溶接され、室内側垂直面８１が室内側面部２１の主面２１０の内面に当接し溶接される。中骨８の上端は上フレーム３０に溶接されており、下端は下フレーム３３に溶接されている。
【００４４】
扉体２の高さ方向の略中間部位には、平面視において扉体２の見込方向（厚さ方向）の中央に位置して、扉体２の幅方向に水平に延びる丸パイプ状の横材９が設けてある。各中骨８の所定の高さ位置には、横材９を挿通させる挿通孔が形成されており、横材９は各中骨８の挿通孔を貫通すると共に、戸先側端部が戸先側縦フレーム３１の側面３１２に当接し溶接され、戸尻側端部が戸尻側縦フレーム３２の側面３２２に当接し溶接される。横材９を扉体２の中心に横通しで配置することで、扉体２の反り、歪みを防止すると共に、矯正する。横材９と中骨８の挿通孔の周縁部も溶接されている。複数の横材９は、高さ方向に間隔を存して配置してもよい。
【００４５】
図３に示すように、上枠１０は、室外側面部１００と、室内側面部１０１と、全閉姿勢にある扉体２の上面部２２に近接対向するように、開口幅方向に水平状に延びる水平面１０２と、水平面１０２の室内側端部の下側に形成され、全閉姿勢にある扉体２の上側外縁面２１５に対向するように、開口幅方向に水平状に延びる第１溝部１０３と、第１溝部１０３の室内側かつ下側に形成され、全閉姿勢にある扉体２の室内側面部２１の主面２１０の上方部位に対向するように、開口幅方向に水平状に延びる第２溝部１０４と、を備えている。
【００４６】
図４に示すように、戸先側縦枠１１は、室外側面部１１０と、室内側面部１１１と、全閉姿勢にある扉体２の戸先側面部２３に近接対向するように、開口高方向に垂直状に延びる垂直面１１２と、垂直面１１２の室内側端部の内側に形成され、全閉姿勢にある扉体２の戸先側外縁面２１６に対向するように、開口高方向に垂直状に延びる第１溝部１１３と、第１溝部１１３の室内側かつ内側に形成され、全閉姿勢にある扉体２の室内側面部２１の主面２１０の戸先側部位に対向するように、開口高方向に垂直状に延びる第２溝部１１４と、を備えている。
【００４７】
図４に示すように、戸尻側縦枠１２は、室外側面部１２０と、室内側面部１２１と、全閉姿勢にある扉体２の戸尻側面部２４に近接対向するように、開口高方向に垂直状に延びる垂直面１２２と、垂直面１２２の室内側端部の内側に形成され、全閉姿勢にある扉体２の戸尻側外縁面２１７に対向するように、開口高方向に垂直状に延びる第１溝部１２３と、第１溝部１２３の室内側かつ内側に形成され、全閉姿勢にある扉体２の室内側面部２１の主面２１０の戸尻側部位に対向するように、開口高方向に垂直状に延びる第２溝部１２４と、を備えている。
【００４８】
図３に示すように、下枠１３は、室外側面部１３０と、室内側面部１３１と、全閉姿勢にある扉体２の下面部２５に近接対向するように、開口幅方向に延びる傾斜面１３２と、傾斜面１３２の室内側端部の上側に形成され、全閉姿勢にある扉体２の下側外縁面２１８に対向するように、開口幅方向に水平状に延びる第１溝部１３３と、第１溝部１３３の室内側かつ上側に形成され、全閉姿勢にある扉体２の室内側面部２１の主面２１０の下方部位に対向するように、開口幅方向に水平状に延びる第２溝部１３４と、を備えている。
【００４９】
ドア枠１の第１溝部１０３、１１３、１２３、１３３は室外側に向かって開口する四周状の溝部を形成し、第１溝部１０３、１１３、１２３、１３３には第１気密・水密材Ｓ１が四周状に設けられる。ドア枠１の第２溝部１０４、１１４、１２４、１３４は室外側に向かって開口する四周状の溝部を形成し、第２溝部１０４、１１４、１２４、１３４には第２気密・水密材Ｓ２が設けられる。本実施形態に係る扉装置は、いわゆるダブルタイトドアである。
【００５０】
扉体２の閉鎖姿勢時には、扉体２の室内側面部２１の外縁面（上側外縁面２１５、戸先側外縁面２１６、戸尻側外縁面２１７、下側外縁面２１８）が第１気密・水密材Ｓ１に圧接した状態となり、扉体２の室内側面部２１の主面２１０の周縁（上側縁、戸先側縁、戸尻側縁、下側縁）が第２気密・水密材Ｓ２に圧接した状態となる。
【００５１】
このように、室内外方向（見込方向）に段差面を形成する主面部２１０の周縁（上側縁、戸先側縁、戸尻側縁、下側縁）、及び、外縁面（上側外縁面２１５、戸先側外縁面２１６、戸尻側外縁面２１７、下側外縁面２１８）は、それぞれ、ドア枠１に設けた第１、第２気密・水密部材Ｓ１、Ｓ２との被接触面を形成する。
【００５２】
主面部２１０の上側縁は、第１フレーム３の上フレーム３０の室内側垂直面３０１に支持されており、戸先側縁は、第１フレーム３の戸先側縦フレーム３１の室内側垂直面３１１に支持されており、戸尻側縁は、第２フレーム４の戸尻側縦フレーム４２の第２室内側垂直辺４２３に支持されており、下側縁は、第１フレーム３の下フレーム３３の室内側垂直面３３１に支持されており、第１気密・水密材Ｓ１を介して作用する押圧力に対抗するようになっている。
【００５３】
室内側面部２１の上側外縁面２１５は、第２フレーム４の上フレーム４０の室内側垂直辺４０１及び横アングル材５の第２辺５１に支持されており、戸先側外縁面２１６は、第２フレーム４の戸先側縦フレーム４１の室内側垂直辺４１１及び縦アングル材６の第２辺６１に支持されており、戸尻側外縁面２１７は、第２フレーム４の戸尻側縦フレーム４２の第１室内側垂直辺４２１に支持されており、下側外縁面２１８は、第２フレーム４の下フレーム４３の室内側垂直面４３１に支持されており、第２気密・水密材Ｓ２を介して作用する押圧力に対抗するようになっている。
【符号の説明】
【００５４】
２  扉体
２０  室外側面部
２１  室内側面部
２１０  主面部
２１５  上側外縁面
２１６  戸先側外縁面
２１７  戸尻側外縁面
２１８  下側外縁面
３  第１フレーム
３０  上フレーム
３１  戸先側縦フレーム
３２  戸尻側縦フレーム
３３  下フレーム
４  第２フレーム
４０  上フレーム
４１  戸先側縦フレーム
４２  戸尻側縦フレーム
４３  下フレーム
８  中骨
９  横材
【図１】
2014105489.tif 000003
【図２】
2014105489.tif 000004
【図３】
2014105489.tif 000005
【図４】
2014105489.tif 000006
【図５】
2014105489.tif 000007
【図６】
2014105489.tif 000008
【図７】
2014105489.tif 000009
【図８】
2014105489.tif 000010
【図９】
2014105489.tif 000011
【図１０】
2014105489.tif 000012